(57)【要約】【課題】ラーメン構造の木造建築物において、部材間の接合に建築用構造材継手を使用する場合、建築用構造材継手や締付用ボルトが一方の部材に陥没して剛性が低下することのない木造建築物の部材接合構造を提供する。【解決手段】接続しようとする複数の建築用構造材の一方に取り付けられ、その板厚方向に貫通し締結用ボルトを挿通せしめる複数のボルト挿通孔を有する取付板と、該取付板に一体に形成されて他方の建築用構造材の端部を受ける受け板と、該受け板と上記取付板とに一体に形成されてこれらを補強する一方、上記他方の建築用構造材の嵌合部に嵌入される補強リブ板とを備える建築用構造材継手を備え、上記複数のボルト挿通孔中、少なくとも最外端に位置するボルト挿通孔には接着剤が注入されて上記締結用ボルトを固着する。【選択図】  図２
2008088744.tif 000002
【特許請求の範囲】
【請求項１】
接続しようとする複数の建築用構造材の一方に取り付けられ、その板厚方向に貫通し締結用ボルトを挿通せしめる複数のボルト挿通孔を有する取付板と、該取付板に一体に形成されて他方の建築用構造材の端部を受ける受け板と、該受け板と上記取付板とに一体に形成されてこれらを補強する一方、上記他方の建築用構造材の嵌合部に嵌入される補強リブ板とを備える建築用構造材継手を備え、
上記複数のボルト挿通孔中、少なくとも最外端に位置するボルト挿通孔には接着剤が注入されて上記締結用ボルトを固着することを特徴とする木造建築物の部材接合構造。
【請求項２】
接続しようとする複数の建築用構造材の一方に取り付けられ、その板厚方向に貫通し締結用ボルトを挿通せしめる複数のボルト挿通孔を有する取付板と、該取付板に一体に形成されて他方の建築用構造材の端部を受ける受け板と、該受け板と上記取付板とに一体に形成されてこれらを補強する一方、上記他方の建築用構造材の嵌合部に嵌入される補強リブ板とを備える建築用構造材継手を備え、
上記複数のボルト挿通孔に挿通される締結用ボルト中、少なくとも最外端に位置する締結用ボルトの上記取付板裏面に内ナットが螺合されることを特徴とする木造建築物の部材接合構造。
【請求項３】
前記複数の締結用ボルト中、近接する一群の締結用ボルトの前記取付板の反対側に位置するボルトヘッドは、一の座金を共有することを特徴とする請求項１及び２のいずれかに記載の木造建築物の部材接合構造。
【発明の詳細な説明】
【技術分野】
【０００１】
本発明は、木造建築物の部材の接合構造に係り、特に部材間で曲げモーメントが伝達されるラーメン構造における木造建築物の部材の接合構造に関する。
【背景技術】
【０００２】
木造建築物における柱と梁、或いは梁と梁との接合構造では、従来の工法では、部材に切り欠きを設けて組み合わせることから断面欠損が生じ、構造上不利になる虞があるため、近年、金物を用いて接合する工法が行われるようになっている。
【０００３】
このような金物の一例として、接続しようとする複数の建築用構造材の一方に取り付けられる取付板と、この取付板に一体に形成されて他方の建築用構造材の端部を受ける受け板と、この受け板と上記取付板とに一体に形成されてこれらを補強する一方、上記他方の建築用構造材の嵌合部に嵌入される補強リブ板と、この補強リブ板の両側面に一体に形成される一方、上記他方の建築用構造材の嵌合部に嵌入されてこの他方の建築用構造材の取付位置を位置決めする先細の位置決め部とを備える建築用構造材継手がある（例えば、特許文献１参照。）。
【０００４】
この建築用構造材継手によれば、木部材の切り欠きは最小限に抑えられるので、断面欠損は生じず、従来のピン接合による木造建築物では構造上まず問題はない。
【特許文献１】特開平９−２０９４６１号公報
【発明の開示】
【発明が解決しようとする課題】
【０００５】
しかしながら、部材間で曲げモーメントが伝達されるラーメン構造では、ピン接合では生じない以下の問題がある。まず、曲げモーメントの圧縮側では、取付板自体が一方の部材中にめり込む虞がある。
【０００６】
他方、曲げモーメントの引張側では、引張力により、一方の部材に挿通された締付用ボルトの他方の部材と反対側に位置するボルトヘッドがその支圧により一方の部材にめり込み、一方の部材に衝合する建築用構造材継手の取付板が、一方の部材の側面から浮き上がる虞がある。
【０００７】
このような事態が生じると、接合部の剛性が大きく低下し、最悪の場合ラーメン構造として期待される応力を支持できなくなる可能性すらある。
【０００８】
本発明は、上述した事情を考慮してなされたもので、ラーメン構造の木造建築物において、部材間の接合に建築用構造材継手を使用する場合、建築用構造材継手や締付用ボルトが一方の部材に陥没して剛性が低下することのない木造建築物の部材接合構造を提供することを目的とするものである。
【課題を解決するための手段】
【０００９】
本発明に係る木造建築物の部材接合構造は、上述した課題を解決するために、請求項１に記載したように、接続しようとする複数の建築用構造材の一方に取り付けられ、その板厚方向に貫通し締結用ボルトを挿通せしめる複数のボルト挿通孔を有する取付板と、該取付板に一体に形成されて他方の建築用構造材の端部を受ける受け板と、該受け板と上記取付板とに一体に形成されてこれらを補強する一方、上記他方の建築用構造材の嵌合部に嵌入される補強リブ板とを備える建築用構造材継手を備え、上記複数のボルト挿通孔中、少なくとも最外端に位置するボルト挿通孔には接着剤が注入されて上記締結用ボルトを固着するものである。
【００１０】
また、上述した課題を解決するために、請求項２に係る木造建築物の部材接合構造は、接続しようとする複数の建築用構造材の一方に取り付けられ、その板厚方向に貫通し締結用ボルトを挿通せしめる複数のボルト挿通孔を有する取付板と、該取付板に一体に形成されて他方の建築用構造材の端部を受ける受け板と、該受け板と上記取付板とに一体に形成されてこれらを補強する一方、上記他方の建築用構造材の嵌合部に嵌入される補強リブ板とを備える建築用構造材継手を備え、上記複数のボルト挿通孔に挿通される締結用ボルト中、少なくとも最外端に位置する締結用ボルトの上記取付板裏面に内ナットが螺合されるものである。
【００１１】
好適には、請求項３に記載したように、前記複数の締結用ボルト中、近接する一群の締結用ボルトの前記取付板の反対側に位置するボルトヘッドは、一の座金を共有する構成とすることが望ましい。
【発明の効果】
【００１２】
本発明に係る木造建築物の部材接合構造によれば、ラーメン構造の木造建築物において、部材間の接合に建築用構造材継手を使用する場合、建築用構造材継手や締付用ボルトが一方の部材に陥没して剛性が低下することがないという効果が得られる。
【発明を実施するための最良の形態】
【００１３】
本発明に係る木造建築物の部材接合構造の実施の形態について、添付図面を参照して説明する。
【００１４】
図１は、本実施形態に係る木造建築物の部材接合構造を採用した木造建築物１００の全体的な概要を示すものである。本実施形態では、図中Ａに示す、この木造建築物１００の柱２と梁３との接合部に本発明に係る部材接合構造が採用され、両者は剛に接合されている。なお、本発明に係る部材接合構造は、柱と梁とを接合する場合に限られず、梁同士を接合する場合にも採用することは可能である。
【００１５】
図２（ａ）は、本実施形態に係る部材接合構造の、断面図、（ｂ）は正面図である。同図に示すように、柱２及び梁３は、柱・梁接続用金具１、締結用ボルト７，８及びこれらに付随する部品により接合される。
【００１６】
柱・梁接続用金具１は、本発明の建築用構造材継手を構成するものであり、柱２の側面に取り付けられる取付板４と、この取付板４に一体に形成されて梁３の下端を受ける受け板５と、この受け板と取付板３とに一体に形成されてこれらを補強する補強リブ板６とを備える。
【００１７】
梁３には、柱・梁接続用金具１を収納可能な大きさ形状に設けられた嵌合凹部１８が設けられ、柱・梁接続用金具１は、予め工場等において梁３と一体化されている。受け板５は、嵌合凹部１８の一部を形成する切欠部内に収納されるので、その表面は梁３下面と面一となって、梁３下面から突出せず、美観を損ねることはない。
【００１８】
補強リブ板６には、その上方に複数のピン孔６ａが、また下方に複数のピン孔６ｂが穿設されている。これらのピン孔６ａ，６ｂは梁３の側面間を貫通するピン孔と連通し、ピンが連通嵌挿されて、柱・梁接続用金具１と梁３とを構造的に一体化させている。
【００１９】
取付板４は、柱２の側面に取付板と略同一サイズ・同一形状に設けられた切欠部１９に収納される。これにより、その表面は柱２側面と面一となって、柱２側面から突出することはない。
【００２０】
取付板４には、その板厚方向に貫通し締結用ボルト７，８を挿通せしめる複数のボルト挿通孔１４が、柱２に設けられたボルト挿通孔２０と連通するように配置される。
【００２１】
梁３の梁背外端側（上下共）のボルト挿通孔１４，２０には、締結用ボルト７が、取付板４の反対側に皿状のボルトヘッドが来るように連通挿通される。そして、取付板４に対抗する側は、その外部側がナット１０により締め付けられる外、その内部においても座金２２を介して内ナット２２により締め付けられている。
【００２２】
さらに最外端のボルト挿通孔２０内には、エポキシ樹脂等の接着剤が注入されて、締結用ボルト７はより強固に柱２に固着される。これにより、曲げモーメントの圧縮力が働いても、取付板４自体が一方の部材中にめり込むことはない。また、曲げモーメントの引張力が働いても、ボルトヘッドがその支圧により柱２の側面にめり込み、取付板４が柱２側面から浮き上がる心配もない。
【００２３】
なお、この締結用ボルト７、内ナット２３及び接着剤の注入は、出荷前に工場にて行われるので、現場作業による精度の低下等の問題はない。
【００２４】
他方、梁３の梁背の中央付近のボルト挿通孔１４，２０には、全ネジの締結用ボルト８が連通挿通され、その両端は、ナット１０により締め付けられる。締結用ボルト７が主に軸力に対抗するのに対し、締結用ボルト８は主に剪断力に対抗するものであるが、図２に示すように、近接する一群の締結用ボルト８に対し面積の大きい共通の座金を用いることにより、柱２との衝合面積を大きくすることができるので、支圧力も低減される。
【００２５】
本実施形態に係る木造建築物の接合構造によれば、上述のように、締結用ボルトが柱材とより強固に接合されるので、剛性が低下することがなく、ラーメン構造の木造建築物でも安心して採用することができる。
【００２６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００２７】
【図１】本発明の実施形態に係る柱接合構造を採用した木造建築物の概要を示す図。
【図２】本実施形態に係る柱接合構造の、（ａ）は断面図、（ｂ）は正面図。
【符号の説明】
【００２８】
１  柱・梁接続用金具
２  柱
３  梁
４  取付板
５  受け板
６  補強リブ板
６ａ，６ｂ  ピン孔
７，８  締結用ボルト
９  ボルト孔
１０  ナット
１１，２２  座金
１４，２０  ボルト挿通孔
１８  嵌合凹部
１９  切欠部
２１  接着剤
２３  内ナット
１００  木造建築物
【図１】
2008088744.tif 000003
【図２】
2008088744.tif 000004